(57)【要約】【課題】家庭用薄葉紙の１枚目を通し易くて取り出し易く、切り離した後の次の家庭用薄葉紙を確実に保持し、且つ取り出した家庭用薄葉紙の皺が少ない家庭用薄葉紙収納容器を提供する。【解決手段】内側にロール状の家庭用薄葉紙Ｐを収納するとともに、収納された家庭用薄葉紙Ｐを外側に取り出す取出部１０７を具備する容器本体１０１と、容器本体１０１に取出部１０７を開閉するように取り付けられたトグルキャップ１２０とを備える家庭用薄葉紙収納容器１００であって、取出部１０７は、内部と連通するように開口し、家庭用薄葉紙Ｐの取り出し方向と直交するＹ軸方向に長尺なスリット部１０８と、スリット部１０８の対向する長辺のうち一方の長辺における長手方向の一端から他端までが、取り出し方向に対して連続的に撓る可撓部１０９と、を備えている。【選択図】図１
2008239180.tif 000002
【特許請求の範囲】
【請求項１】
内側にロール状の家庭用薄葉紙を収納するとともに、収納された前記家庭用薄葉紙を外側に取り出す取出部を具備する容器本体と、前記容器本体に前記取出部を開閉するように取り付けられた蓋体とを備える家庭用薄葉紙収納容器であって、
前記取出部は、
内部と連通するように開口し、前記家庭用薄葉紙の取り出し方向と直交する方向に長尺なスリット部と、
前記スリット部の対向する長辺のうち少なくとも何れか一方における長手方向の一端から他端までが、前記取り出し方向に対して連続的に撓る可撓部と、
を有することを特徴とする家庭用薄葉紙収納容器。
【請求項２】
前記可撓部は、
前記容器本体のうち、前記スリット部の長手方向に沿う一端及び他端において前記スリット部の長手方向に対して異なる方向であって対向する長辺とは逆向きに形成された切れ込みにより前記取り出し方向に対して撓るように形成された部分からなることを特徴とする請求項１に記載の家庭用薄葉紙収納容器。
【請求項３】
前記可撓部は、
前記スリット部における一方の長辺側から対向する他方の長辺側に向けて突設された可撓片からなることを特徴とする請求項１に記載の家庭用薄葉紙収納容器。
【請求項４】
前記可撓部は、
前記スリット部の長手方向における一端から他端までが、対向する他方の長辺側に向けて突出する突出部からなることを特徴とする請求項１に記載の家庭用薄葉紙収納容器。
【請求項５】
前記蓋体が前記容器本体に対して回動自在に設けられ、
前記スリット部は、
前記長手方向に沿う長辺が前記蓋体の回動軸と平行となるように配設され、
前記可撓部は、前記スリット部における前記蓋体の回動軸とは逆側の長辺に設けられていることを特徴とする請求項１〜４の何れか一項に記載の家庭用薄葉紙収納容器。
【請求項６】
前記可撓部が前記スリット部において対向する何れの長辺にも設けられていることを特徴とする請求項１〜５の何れか一項に記載の家庭用薄葉紙収納容器。
【発明の詳細な説明】
【技術分野】
【０００１】
本発明は、ウェットシートやウェットティッシュ等の家庭用薄葉紙を収納する家庭用薄葉紙収納容器に関する。
【背景技術】
【０００２】
従来、家屋の床やトイレ、或いは人体などを拭くための家庭用薄葉紙を収納する家庭用薄葉紙収納容器が知られている。
この家庭用薄葉紙収納容器は、例えば、取出部を有する容器本体と、この容器本体に設けられて取出部を開放及び閉塞する蓋体と、この蓋体を開閉して取出部を開放させる操作を行うための操作部等から構成されている。
【０００３】
ここで、例えば、ロール状に巻かれた家庭用薄葉紙を収納する家庭用薄葉紙収納容器にあっては、容器本体の取出部から取り出した家庭用薄葉紙を、次に使用する家庭用薄葉紙からミシン目等に沿って切り離す必要がある。また、取り出した家庭用薄葉紙から切り離された次に取り出す家庭用薄葉紙は、容器本体の内部に引き戻されることなく取出部近傍に保持されることが好ましい。このため、例えば、取出部の形状を略十字状とし、取り出した家庭用薄葉紙を挟み込んで切り離したり保持したりする切り込みを設けた家庭用薄葉紙収納容器が知られている（例えば、特許文献１参照）。
また、例えば、取出部の形状を丸型（円形）として伸縮性のある別部材から構成した家庭用薄葉紙収納容器も知られている（例えば、特許文献２参照）。
【特許文献１】実開平５−３４１８０号公報
【特許文献２】実用新案登録第２５３１０５１号公報
【発明の開示】
【発明が解決しようとする課題】
【０００４】
しかしながら、上記特許文献１に開示される家庭用薄葉紙収納容器の場合、次に取り出す家庭用薄葉紙を略十字状の狭い切り込みで挟持するため、家庭用薄葉紙に皺が寄ってしまい、次回使用の際には当該皺が寄った部分を広げる手間がかかるという問題がある。また、上記特許文献２に開示される家庭用薄葉紙収納容器の場合、例えば、次に取り出す家庭用薄葉紙が取り出し方向に垂直な全周方向から締め付けられて保持されるため、上記特許文献１の場合と同様に家庭用薄葉紙に皺が寄ってしまうという問題がある。
【０００５】
さらに、家庭用薄葉紙は、例えば中身を詰め替える際に、１枚目を取出部の内側から外側に通す必要があるが、上記特許文献２に開示される従来技術においては、取出部が小さく、家庭用薄葉紙を挿入するのが困難であるという問題があった。
【０００６】
そこで、本発明の課題は、家庭用薄葉紙の１枚目を通し易くて取り出し易く、切り離した後の次の家庭用薄葉紙を確実に保持し、且つ取り出した家庭用薄葉紙の皺が少ない家庭用薄葉紙収納容器を提供することである。
【課題を解決するための手段】
【０００７】
上記課題を解決するために、請求項１に記載の発明は、
内側にロール状の家庭用薄葉紙を収納するとともに、収納された前記家庭用薄葉紙を外側に取り出す取出部を具備する容器本体と、前記容器本体に前記取出部を開閉するように取り付けられた蓋体とを備える家庭用薄葉紙収納容器であって、
前記取出部は、内部と連通するように開口し、前記家庭用薄葉紙の取り出し方向と直交する方向に長尺なスリット部と、前記スリット部の対向する長辺のうち少なくとも何れか一方における長手方向の一端から他端までが、前記取り出し方向に対して連続的に撓る可撓部と、を有することを特徴としている。
【０００８】
請求項２に記載の発明は、請求項１に記載の家庭用薄葉紙収納容器において、
前記可撓部は、前記容器本体のうち、前記スリット部の長手方向に沿う一端及び他端において前記スリット部の長手方向に対して異なる方向であって対向する長辺とは逆向きに形成された切れ込みにより前記取り出し方向に対して撓るように形成された部分からなることを特徴としている。
【０００９】
請求項３に記載の発明は、請求項１に記載の家庭用薄葉紙収納容器において、前記可撓部は、前記スリット部における一方の長辺側から対向する他方の長辺側に向けて突設された可撓片からなることを特徴としている。
【００１０】
請求項４に記載の発明は、請求項１に記載の家庭用薄葉紙収納容器において、前記可撓部は、前記スリット部の長手方向における一端から他端までが、対向する他方の長辺に向けて円弧状に突出する突出部からなることを特徴としている。
【００１１】
請求項５に記載の発明は、請求項１〜４の何れか一項に記載の家庭用薄葉紙収納容器において、前記蓋体が前記容器本体に対して回動自在に設けられ、前記スリット部は、前記長手方向に沿う長辺が前記蓋体の回動軸と平行となるように配設され、前記可撓部は、前記スリット部における前記蓋体の回動軸とは逆側の長辺に設けられていることを特徴としている。
【００１２】
請求項６に記載の発明は、請求項１〜５の何れか一項に記載の家庭用薄葉紙収納容器において、前記可撓部が前記スリット部において対向する何れの長辺にも設けられていることを特徴としている。
【発明の効果】
【００１３】
請求項１に記載の発明によれば、家庭用薄葉紙をセットする際に、可撓部によりスリット部における長手方向の一端から他端までが、取り出し方向に対して連続的に撓るため、スリット部を大きく開口させることができる。従って、一枚目の家庭用薄葉紙を容易に通すことができる。また、家庭用薄葉紙を取り出す際に、取り出し方向に対してスリット部が撓るため取り出し抵抗が緩和され、容易に取り出すことができる。また、家庭用薄葉紙を取り出した後、可撓部の撓みが元に戻るので、次の家庭用薄葉紙を確実に保持することができる。さらに、取り出し方向と直交する方向に長尺なスリット部を有することにより、家庭用薄葉紙が広がった状態若しくは皺が少なくて取り出した後に広げやすい状態で取り出すことができる。従って、取り出した家庭用薄葉紙を容易に広げることができる。さらに、取出部が円形の穴部ではなく長尺なスリット部であるため、例えば、家庭用薄葉紙が全周方向から絞られることによる皺が生じない。
【００１４】
請求項２に記載の発明によれば、請求項１に記載の発明と同様の効果が得られるのは無論のこと、特に、可撓部が、容器本体のうち、スリット部の長手方向に沿う一端及び他端においてスリット部の長手方向に対して異なる方向に形成された切り込みにより家庭用薄葉紙の取り出し方向に撓るように形成された部分からなることにより、この可撓部を容器本体と一体に形成することができる。従って、コストを低減しつつ当該可撓部を容易に形成して上述の効果を得ることができる。
【００１５】
請求項３に記載の発明によれば、請求項１に記載の発明と同様の効果が得られるのは無論のこと、特に、可撓部としての可撓片と容器本体とを別部材から形成することができるため、可撓片として用いる材料の選択の自由度が向上する。これにより、例えば、容器本体よりも軟らかい素材を用いることができる。その結果、家庭用薄葉紙の取り出しに最適な材料を可撓片に用いることができるため、例えば、１枚目の家庭用薄葉紙を取出部に挿入する際や、家庭用薄葉紙を取出部から取り出す際の作業の容易化が計られる。また、取り出した家庭用薄葉紙と次の家庭用薄葉紙とを容易且つ確実に分離させることができる。
【００１６】
請求項４に記載の発明によれば、請求項１に記載の発明と同様の効果が得られるのは無論のこと、特に、可撓部を、スリット部の長手方向における一端から他端までが対向する他方の長辺側に向けて突出する突出部から形成したことにより、可撓部を容器本体と一体に形成してコストを低減することができる共に、家庭用薄葉紙をユーザが位置する手前側に引き寄せながら容易に取り出すことができる。
【００１７】
請求項５に記載の発明によれば、請求項１〜４の何れか一項に記載の発明と同様の効果が得られるのは無論のこと、特に、スリット部を、その長手方向に沿う長辺が蓋体の回動軸と平行となるように配置すると共に、可撓部を、スリット部における蓋体の回動軸とは逆側の長辺に設けたことにより、例えば、蓋体を開いた状態で、家庭用薄葉紙をユーザが位置する手前側に引き寄せながら容易に取り出すことができる。
【００１８】
請求項６に記載の発明によれば、請求項１〜５の何れか一項に記載の発明と同様の効果が得られることは無論のこと、特に、可撓部を、スリット部において対向する何れの長辺にも設けたことにより、例えば、蓋体を開いた状態において、家庭用薄葉紙を一方の長辺側のみならず対向する他方の長辺側からも容易に取り出すことができる。
【発明を実施するための最良の形態】
【００１９】
以下に、本発明について、図面を用いて具体的な態様を説明する。ただし、発明の範囲は、以下の説明及び図示例に限定されない。
【００２０】
［実施形態１］
図１は、本発明を適用した好適な実施形態１として例示する家庭用薄葉紙収納容器１００を正面上方から見た斜視図であり、図２は、実施形態１の家庭用薄葉紙収納容器１００における取出部１０７を示す平面図であり、図３は、図２におけるＡ−Ａ断面を含む容器本体１０１上部の横断面図であり、図４、図５及び図６は、実施形態１における取出部１０７から家庭用薄葉紙Ｐを取り出す際の取り出し動作を示す説明図である。
【００２１】
本実施形態に係る家庭用薄葉紙収納容器１００は、例えば、図１〜６に示すように、内側にロール状の家庭用薄葉紙Ｐ（例えば、ロール状に巻かれたウェットシートやウェットティッシュ等のロールペーパー）を収納するとともに、収納された家庭用薄葉紙Ｐを外側に取り出す取出部１０７を具備する容器本体１０１と、この容器本体１０１に取出部１０７を開閉するように取り付けられた蓋体としてのトグルキャップ１２０とを備えて構成されている。以下、各部を詳しく説明する。
なお、以下の説明では、家庭用薄葉紙収納容器１００の前後方向をＸ軸方向として、トグルキャップ１２０の回動軸が設けられている側を後側とし、反対側を手前側とする。さらに、正面視にて左右方向（幅方向）をＹ軸方向とし、上下方向をＺ軸方向とする。また、以下の説明において、ユーザは手前側から家庭用薄葉紙Ｐを取り出すものとする。
【００２２】
容器本体１０１は、当該容器本体１の下部をなす有底円筒状のボトル１０２と、当該容器本体１０１の上部をなすネジキャップ１０３とから構成されている。
【００２３】
ボトル１０２の上端には開口部１０２ａが設けられており（図４、図５参照）、当該ボトル１０２の上端部の外周には、周方向に沿って雄ネジ部１０２ｂが設けられている（図４、図５参照）。本実施形態におけるボトル１０２は、例えば、ＰＥ（ポリエチレン）やＰＰ（ポリプロピレン）、或いは、ＡＢＳ樹脂等から形成されている。なお、図１では、ボトル１０２の下部を省略して記載している。
【００２４】
ネジキャップ１０３は、上底部１０３ａを有するとともに下端部が開放された有底円筒状をなし、開放された下端部の内周面には上記雄ネジ部１０２ｂと螺合する雌ネジ部１０３ｂが設けられている。本実施形態におけるネジキャップ１０３は、例えば、ＰＥ（ポリエチレン）やＰＰ（ポリプロピレン）等から形成されている。
【００２５】
そして、容器本体１０１は、ボトル１０２とネジキャップ１０３とが雄ネジ部１０２ｂ，雌ネジ部１０３ｂにより着脱自在に連結されることで、その上部が開閉自在となっており、ボトル１０２からネジキャップ１０３を取り外した状態で、ボトル１０３の内部に家庭用薄葉紙Ｐを収納したり取り出したりすることができるようになっている。なお、本実施形態では、家庭用薄葉紙Ｐが、上下方向（Ｚ軸方向）を中心としてロール状に巻かれた状態で容器本体１０１に収納されるようになっている。
【００２６】
さらに、ネジキャップ１０３（容器本体１０１）の上底部１０３ａには、容器本体１０１の内部に収納された家庭用薄葉紙Ｐを容器本体１０１の外側に取り出すための取出部１０７と、この取出部１０７を開閉するようにして当該ネジキャップ１０３に回動自在に取り付けられたトグルキャップ１２０とが設けられている。
【００２７】
取出部１０７は、例えば、図１、図３に示すように、上底部１０３ａのほぼ中央部に形成された凹部１０４内に配設されている。この取出部１０７の周囲には、例えば、円筒状ないし環状の突起部１０６が設けられている（図１、図３参照）。
【００２８】
トグルキャップ１２０は、例えば、ネジキャップ１０３の上底部１０３ａに連結された基端部が、Ｙ軸方向に沿って設けられた図示しない回動軸により、ネジキャップ１０３の上底部１０３ａに対して回動自在に設けられている。このトグルキャップ１２０は、例えば、閉塞状態（図４参照）と開放状態（図１、図５参照）の２位置において安定に配置された状態を維持するように、可動範囲内における所定の回動角度（例えば、図３参照）よりも取出部１０７に接近した際には閉塞状態となるように付勢されている。一方で、上記所定の回動角度よりも開放された際には開放状態となるように付勢されている。
【００２９】
また、トグルキャップ１２０の下面には、例えば、図４に示すように、取出部１０７を閉塞状態とした際に突起部１０６と嵌合する嵌合部１２１が設けられている（図１参照）。この嵌合部１２１は、取出部１０７を閉塞する際に、突起部１０６の外周が当該嵌合部１２１の内周と接するようにして内挿されるように、トグルキャップ１２０の下面から円筒状ないし環状に突設されている。なお、トグルキャップ１２０は、ネジキャップ１０３の上底部１０３ａに対して、当該上底部１０３ａの厚さをＹ軸方向に沿って一部薄く形成することにより、Ｙ軸方向を中心にして折曲されることで開閉する構成としてもよい。
【００３０】
ここで、本実施形態における取出部１０７の構成について、図１〜図６に基づき詳しく説明する。
取出部１０７は、容器本体１０１の内部と外部とを連通するように開口し、平面視にて家庭用薄葉紙Ｐの取り出し方向と直交する方向に長尺な略四角形状のスリット部１０８と、スリット部１０８の対向する長辺のうち一方の長辺における長手方向の一端から他端までが、取り出し方向に対して連続的に撓る可撓部１０９と、を備えている。
【００３１】
スリット部１０８は、長手方向に沿う長辺がトグルキャップ１２０の回動軸と平行となるように配設されている。具体的に、スリット部１０８は、例えば、図１、図２に示すように、ネジキャップ１０３の上底部１０３ａに設けられた凹部１０４の中央部において、その長辺がＹ軸方向（左右方向）に沿うように配設されており、凹部１０４をＺ軸方向に貫通して設けられている。
【００３２】
可撓部１０９は、スリット部１０８におけるトグルキャップ１２０の回動軸とは逆側の長辺、すなわち、上記回動軸から遠方側の長辺であってユーザから見て手前側の長辺に設けられている。この可撓部１０９は、ネジキャップ１０３（容器本体１）のうち、スリット部１０８の長手方向（Ｙ軸方向）に沿う長辺の一端及び他端において当該スリット部１０８の長手方向（Ｙ軸方向）に対して異なる方向であって対向する長辺とは逆向きに形成された切れ込み１１０により取り出し方向に対して撓るように形成された部分から構成されている。
【００３３】
具体的に、可撓部１０９は、スリット部１０８におけるトグルキャップ１２０の回動軸とは逆側の長辺の長手方向における一端及び他端を基点として、ユーザから見て手前側に向かうにつれて互いが拡開されるように、平面視にて略ハ字状に形成された二つの切れ込み１１０，１１０により、家庭用薄葉紙Ｐの取り出し方向である上下方向に対して撓るようになっている。つまり、本実施形態では、左右の切れ込み１１０，１１０のうちスリット部１０８とは逆側の端部を基端とし、スリット部１０８を構成する一方の長辺を先端部として、この先端部が、家庭用薄葉紙Ｐを取り出す際に上下方向に対して撓るようになっている。従って、本実施形態における可撓部１０９は、上述した容器本体１０１の上部をなすネジキャップ１０３と一体に形成されており、該ネジキャップ１０３と同一材料、すなわち、例えば、ＰＥ（ポリエチレン）やＰＰ（ポリプロピレン）等から形成されている。
【００３４】
なお、可撓部１０９は、スリット部１０８における対向する二本の長辺のうち、少なくとも何れか一方の長辺に設けられていればよく、例えば、両方の長辺に設けてもよい（後述する、実施形態４、５及び７参照）。また、切れ込み１１０は、例えば、本実施形態の場合、スリット部１０８におけるトグルキャップ１２０の回動軸とは逆側の長辺の長手方向における一端及び他端から、ユーザ側である手前側であれば如何なる方向に形成されていてもよい。
【００３５】
次に、実施形態１に係る家庭用薄葉紙収納容器１００の作用について説明する。
家庭用薄葉紙Ｐを、開口部１０２ａからボトル１０２内部に収納した後、1枚目の家庭用薄葉紙Ｐとなるロールペーパーの一端部をネジキャップ１０３の取出部１０７に通す際には、ネジキャップ１０３の内側から外側に向かうようにして上記一端部をスリット部１０８に挿入する。その際、例えば、図５に示すように、可撓部１０９が矢印Ｂ方向に撓ることにより、通常時（例えば、図３参照）に比べてスリット部１０８が大きく開口されることとなる。また、スリット１０８が左右方向（Ｙ軸方向）に対して長尺に形成されていることにより、例えば、図６に示すように、家庭用薄葉紙Ｐが広げられた状態でスリット部１０８に挿通される。
【００３６】
次に、家庭用薄葉紙収納容器１００から家庭用薄葉紙Ｐを取り出す際には、スリット部１０８から上方に僅かに突出した状態で保持されている家庭用薄葉紙Ｐ（例えば、図４参照）の一端（上端）を摘んで上方に引き上げる。このとき、スリット部１０８には、家庭用薄葉紙Ｐが下方から上方、つまり、内側から外側に向けて擦れながら引き出されることによる力が作用するが、図５に示すように、一方の（手前側の）長辺に設けられた可撓部１０９が上方に撓ることにより、スリット部１０８が通常時（例えば、図３参照）よりも大きく開口されることとなる。従って、家庭用薄葉紙Ｐの取り出し抵抗が緩和される。
【００３７】
また、これと同時に、可撓部１０９は、例えば、図５に示す矢印Ｃ方向に向けて戻ろうとする力（復帰力）が作用するため、家庭用薄葉紙Ｐを上方から下方側に向けて押さえ付ける力を作用させることとなる。これにより、当該取り出し中の家庭用薄葉紙Ｐと次の家庭用薄葉紙Ｐとの継ぎ目であるミシン目Ｐ１の部分まで引き出された際に、ミシン目Ｐ１に沿って家庭用薄葉紙Ｐが切り離される。そして、次の家庭用薄葉紙Ｐの上端部がスリット部１０８に保持されるものである。
【００３８】
以上説明したように、実施形態１に係る家庭用薄葉紙収納容器１００によれば、家庭用薄葉紙Ｐの１枚目を取出部１０７にセットする際に、可撓部１０９によりスリット部１０８における長手方向の一端から他端までが取り出し方向に対して連続的に撓るため、スリット部１０８を大きく開口させることができる。従って、１枚目の家庭用薄葉紙Ｐをスリット部１０８に容易に通すことができる。
【００３９】
また、家庭用薄葉紙Ｐを取り出す際に、取り出し方向に対してスリット部１０８が撓るため取り出し抵抗が緩和され、容易に取り出すことができる。また、家庭用薄葉紙Ｐを取り出した後、可撓部１０９の撓みが元に戻るので、次の家庭用薄葉紙Ｐを確実に保持することができる。
【００４０】
さらに、取り出し方向と直交する方向に長尺なスリット部１０８を有することにより、家庭用薄葉紙Ｐが広がった状態若しくは皺が少なく取り出した後に広げやすい状態で取り出すことができる。従って、取り出した家庭用薄葉紙Ｐを容易に広げることができる。
【００４１】
さらに、取出部１０７が円形の穴部ではなく長尺なスリット部１０８であるため、例えば、家庭用薄葉紙Ｐが全周方向から絞られることによって皺が生じることがない。
【００４２】
また、可撓部１０９が、容器本体１０１のうち、スリット部１０８の長手方向に沿う一端及び他端においてスリット部１０８の長手方向に対して異なる方向に形成された切り込み１１０により家庭用薄葉紙Ｐの取り出し方向に撓るように形成された部分からなることにより、この可撓部１０９を容器本体１０１のネジキャップ１０３と一体に形成することができる。従って、コストを低減しつつ当該可撓部１０９を容易に形成して上述の効果を得ることができる。
【００４３】
また、スリット部１０８を、その長手方向に沿う長辺がトグルキャップ１２０の回動軸と平行となるように配置したことにより、例えば、トグルキャップ１２０を開いた状態において、家庭用薄葉紙Ｐをユーザが位置する手前側、又は、その反対側に引き寄せながら容易に取り出すことができる。
【００４４】
また、可撓部１０９を、ユーザ側である手前側に設けたことにより、家庭用薄葉紙Ｐを手前側に向けて斜め上方に取り出す際に上述した各種効果を有効に発揮させることができる。従って、ユーザは、手前側に向けて家庭用薄葉紙Ｐを容易に取り出すことができるため、利便性の向上を図ることができる。
【００４５】
［実施形態２］
次に、実施形態２の家庭用薄葉紙収納容器について説明する。図７は、実施形態２の家庭用薄葉紙収納容器の取出部２０７を示す平面図である。
図７に示すように、実施形態２の家庭用薄葉紙収納容器は、例えば、スリット部２０８の長手方向であるＹ軸方向に直交するＸ軸方向に沿ってスリット部２０８から手前側に向けて形成された切れ込み２１０ａ，２１０ａを備えている。この切れ込み２１０ａ，２１０ａにより、スリット部２０８のうちトグルキャップ２２０とネジキャップ２０３との連結部である回動軸から遠方の長辺が、家庭用薄葉紙Ｐの取り出し方向であるＺ軸方向（上下方向）に対して撓る可撓部２０９として機能するようになっている。
【００４６】
実施形態２の家庭用薄葉紙収納容器によれば、上記実施形態１の場合と比較して左右方向（Ｙ軸方向）における切れ込み２１０の基端部の幅を狭くしたことにより、上下方向に対する可撓部２０９ａの曲げ応力が低く設定される。従って、家庭用薄葉紙Ｐを取り出す際に可撓部２０９がより大きく撓ることとなる。その結果、上記実施形態１と比較してスリット部２０８をより大きく開口することができる。すなわち、左右方向（Ｙ軸方向）における切れ込み２１０の基端部の幅を所望に形成することにより、可撓部２０９の撓り方向に対する撓り抵抗を所望に調節することができる。
【００４７】
［実施形態３］
次に、実施形態３の家庭用薄葉紙収納容器について説明する。図８は、実施形態３の家庭用薄葉紙収納容器の取出部３０７を示す平面図である。
図８に示すように、実施形態３の家庭用薄葉紙収納容器における可撓部３０９は、例えば、スリット部３０８のＹ軸方向に沿う対向する二つの長辺のうち、ユーザ側の長辺（トグルキャップ３２０とネジキャップ３０３との連結部である回動軸から遠方側の長辺）の長手方向（Ｙ軸方向）における中央部付近が、対向する長辺側に向けて膨出するように円弧状に突設された形状となっている。
【００４８】
具体的に、実施形態３の家庭用薄葉紙収納容器におけるスリット部３０８は、対向する長辺が互いに非平行であり、一方の長辺であるユーザ側の長辺の中央部が、例えば、対向する長辺側に向けて円弧状に凸となるように膨出した形状（図８参照）であるのに対し、他方の長辺である上記回動軸側の長辺がＹ軸方向に沿って直線状に設けられている。つまり、可撓部は、スリット部３０８の長手方向における一端から他端までが、対向する他方の長辺側に向けて円弧状に突出する突出部から構成されている。これにより、スリット部３０８の長手方向における中央部付近のスリット幅（Ｘ軸方向に対するスリット部３０８の幅）が、長手方向の両端部よりも狭くなっている。
【００４９】
実施形態３の家庭用薄葉紙収納容器によれば、可撓部３０９が上下方向に撓ることは勿論のこと、例えば、家庭用薄葉紙Ｐを取り出す際に、可撓部３０９のうち、長手方向中央部にあたる膨出部分において、家庭用薄葉紙Ｐが下方側により強く押さえ付けられることになる。従って、家庭用薄葉紙Ｐを手前側に向けて斜め上方に取り出す際に、ミシン目Ｐ１に沿って、より容易に家庭用薄葉紙Ｐを切り離して分離させることができる。また、次に取り出す家庭用薄葉紙Ｐの保持性を向上させることもできる。
なお、可撓部３０９は、例えば、上記回動軸から遠方側の長辺が、対向する他方の長辺側に向けて平面視にて台形状に膨出する形状であってもよい。
【００５０】
［実施形態４］
次に、実施形態４の家庭用薄葉紙収納容器について説明する。図９は、本発明を適用した好適な実施形態４として例示する家庭用薄葉紙収納容器４００を正面上方から見た斜視図である。
図９に示すように、実施形態４に係る家庭用薄葉紙収納容器４００は、例えば、取出部４０７が、スリット部４０８において対向する何れの長辺にも可撓部４０９を備えているという点において上記実施形態１〜３と異なっている。
具体的に、取出部４０９は、容器本体４０１の内部と外部とを連通するように開口し、平面視にて家庭用薄葉紙Ｐの取り出し方向と直交する方向に長尺な略四角形状のスリット部４０８と、スリット部４０８の対向する長辺のうち両方の長辺における長手方向の一端から他端までが、取り出し方向に対して連続的に撓る可撓部４０９，４０９と、を備えている。
【００５１】
スリット部４０８は、長手方向に沿う長辺がトグルキャップ４２０の回動軸と平行となるように配設されている。具体的に、スリット部４０８は、例えば、図９、図１０に示すように、ネジキャップ４０３の上底部４０３ａに設けられた凹部４０４の中央部において、その長辺がＹ軸方向（左右方向）に沿うように配設されており、凹部４０４をＺ軸方向に貫通して設けられている（図１１参照）。
【００５２】
可撓部２０９は、ネジキャップ４０３（容器本体４０１）のうち、スリット部４０８の長手方向（Ｙ軸方向）に沿う各長辺の一端及び他端において当該スリット部１０８の長手方向（Ｙ軸方向）に対して異なる方向に形成された切れ込み４１０，４１０により取り出し方向に対して撓るように形成された部分から構成されている。
【００５３】
具体的に、各可撓部４０９，４０９は、スリット部４０８における各長辺の長手方向における一端及び他端（即ち、スリット部４０８に設けられた四つの角部の各頂点）を基点として、前後方向に向かうにつれて互いが拡開されるように、平面視にて略ハ字状に形成された二つの切れ込み４１０，４１０により、それぞれ家庭用薄葉紙Ｐの取り出し方向である上下方向に対して撓るようになっている。つまり、本実施形態では、左右の切れ込み４１０のうちスリット部４０８と逆側の端部を基端とし、スリット部４０８を構成する各長辺を先端部として、この先端部が家庭用薄葉紙Ｐを取り出す際に上下方向に対して撓るようになっている（図１２参照）。従って、本実施形態における可撓部４０９は、容器本体４０１の上部をなすネジキャップ４０３と一体に形成されており、該ネジキャップ４０３と同一材料、すなわち、例えば、ＰＥ（ポリエチレン）やＰＰ（ポリプロピレン）等から形成されている。
【００５４】
なお、各切れ込み４１０は、スリット部４０８の長辺の一端及び他端から、スリット部４０８の長辺（Ｙ軸方向）と異なる方向であって他方の長辺とは逆側に向けて形成されていればよい。
【００５５】
実施形態４に係る家庭用薄葉紙収納容器４００によれば、可撓部４０９を、スリット部４０８において対向する何れの長辺にも設けたことにより、例えば、図１２に示すように、家庭用薄葉紙Ｐの１枚目を取出部４０７にセットする際や、２枚目以後を取り出す際に、両方の可撓部４０９，４０９が上下方向に撓ることになる。
【００５６】
従って、家庭用薄葉紙Ｐの１枚目をより容易にスリット部４０８に挿入することができると共に、２枚目以後を取り出す際にも、取り出し抵抗がさらに緩和されるため、より一層容易に取り出すことができる。さらに、例えば、家庭用薄葉紙Ｐを、ユーザが位置する手前側に向けて斜め上方に取り出す場合のみならず、逆側である、ユーザから見て後側（奥側）の上記回動軸側に向けて斜め上方に取り出す際にも可撓部４０９が撓ることにより、家庭用薄葉紙Ｐを取り出す際の利便性をより一層向上させることができる。また、可撓部４０９を、容器本体４０１の上部をなすネジキャップ４０３と一体に形成したことにより、コストを抑制しつつ、上述した各効果を得ることができる。
【００５７】
［実施形態５］
次に、実施形態５の家庭用薄葉紙収納容器について説明する。図１３は、実施形態５の家庭用薄葉紙収納容器の取出部５０７を示す平面図である。
図１３に示すように、実施形態５の家庭用薄葉紙収納容器における取出部５０７は、スリット部５０８の対向する長辺のうち、両方の長辺の長手方向における一端部及び他端部からスリット部５０８の長手方向であるＹ軸方向に対して直交するＸ軸方向に沿って形成された切れ込み５１０，５１０を備えている。この切れ込み５１０，５１０により、スリット部５０８の対向する二つの長辺のうち、両方の長辺が、家庭用薄葉紙Ｐの取り出し方向であるＺ軸方向（上下方向）に対して撓る可撓部５０９、５０９として機能するようになっている。
【００５８】
実施形態５の家庭用薄葉紙収納容器によれば、上記実施形態４の場合と比較して左右方向（Ｙ軸方向）における切れ込み５１０の基端部の幅を狭くしたことにより、上下方向に対する可撓部５０９の曲げ応力が低く設定される。従って、家庭用薄葉紙Ｐを取り出す際に可撓部５０９がより大きく撓ることとなる。その結果、上記実施形態４と比較してスリット部５０８をより大きく開口することができる。すなわち、左右方向（Ｙ軸方向）における切れ込み５１０の基端部の幅を所望に形成することにより、可撓部５０９，５０９の撓り方向に対する撓り抵抗を所望に調節することができる。
【００５９】
［実施形態６］
図１４は、実施形態６の家庭用薄葉紙収納容器における取出部６０７を示す平面図である。
図１４に示すように、実施形態６に係る家庭用薄葉紙収納容器は、可撓部が、スリット部６０８における一方の長辺側から対向する他方の長辺側に向けて突設された可撓片６０９からなるという点において上記実施形態１〜５と異なっている。
具体的に、可撓片６０９は、スリット部６０８のＹ軸方向に沿う対向する二つの長辺のうち、ユーザ側の長辺（回動軸から遠方側の長辺）に設けられており、その長手方向（Ｙ軸方向）における中央部付近が、対向する長辺側に向けて膨出するように突設された形状となっている。この可撓片６０９は、例えば、ＰＥ（ポリエチレン）やＰＰ（ポリプロピレン）、或いは、シリコンゴム等の弾性材等、容器本体１０１（ネジキャップ１０３）とは異なる材料から形成されている。
【００６０】
実施形態６の家庭用薄葉紙収納容器によれば、可撓片６０９と容器本体１０１（ネジキャップ１０２）とを別部材から形成することができるため、可撓片６０９として用いる材料の選択の自由度が向上する。これにより、例えば、容器本体１０１よりも軟らかい素材を用いることができる。その結果、家庭用薄葉紙Ｐの取り出しに最適な材料を可撓片６０９に用いることができるため、例えば、１枚目の家庭用薄葉紙Ｐを取出部６０７に挿入する際や、家庭用薄葉紙Ｐを取出部６０７から取り出す際の作業の容易化が図られる。また、取り出した家庭用薄葉紙Ｐと次の家庭用薄葉紙Ｐとをより一層容易に、且つ、確実に分離させることができる。
【００６１】
［実施形態７］
図１５は、実施形態７の家庭用薄葉紙収納容器における取出部７０７を示す平面図である。
図１５に示すように、実施形態７に係る家庭用薄葉紙収納容器は、可撓片７０９が、スリット部７０８において対向する何れの長辺にも設けられているという点において上記実施形態６と異なっている。
具体的に、可撓片７０９，７０９は、スリット部７０８における各長辺のうち、両方の長辺にそれぞれ設けられており、その長手方向（Ｙ軸方向）における中央部付近が、対向する長辺側に向けて膨出するように突設された形状となっている。各可撓片７０９，７０９は、例えば、ＰＥ（ポリエチレン）やＰＰ（ポリプロピレン）、或いは、シリコンゴム等の弾性材等、容器本体１０１（ネジキャップ１０３）とは異なる材料から形成されている。
【００６２】
実施形態７の家庭用薄葉紙収納容器によれば、家庭用薄葉紙Ｐの取り出し方向である上下方向に対して各可撓片７０９，７０９がそれぞれ個別に撓ることになる。従って、家庭用薄葉紙Ｐの１枚目をより容易にスリット部７０８に挿入することができると共に、２枚目以後を取り出す際にも、取り出し抵抗がさらに緩和されるため、より一層容易に取り出すことができる。さらに、例えば、家庭用薄葉紙Ｐを、ユーザが位置する手前側に向けて斜め上方に取り出す場合のみならず、逆側である、ユーザから見て後側（奥側）の上記回動軸側に向けて斜め上方に取り出す際にも可撓部７０９が撓ることにより、家庭用薄葉紙Ｐを取り出す際の利便性をより一層向上させることができる。
【００６３】
また、可撓部７０９を、容器本体１０１の上部をなすネジキャップ１０３と別部材から形成することができるため、可撓片７０９として用いる材料の選択の自由度が向上する。これにより、例えば、容器本体１０１よりも軟らかい素材を用いることができる。その結果、家庭用薄葉紙Ｐの取り出しに最適な材料を可撓片７０９に用いることができるため、例えば、１枚目の家庭用薄葉紙Ｐを取出部７０７に挿入する際や、家庭用薄葉紙Ｐを取出部７０７から取り出す際の作業の容易化が計られる。また、取り出した家庭用薄葉紙Ｐと次の家庭用薄葉紙Ｐとをより一層容易に、且つ、確実に分離させることができる。
【００６４】
（その他）
なお、上記各実施形態においては、家庭用薄葉紙Ｐをロール状とし、この家庭用薄葉紙Ｐが垂直軸（Ｚ軸）を中心に巻かれた状態で容器本体１０１に収納されている場合を例に説明したが、本発明が適用される範囲は上記各実施形態に限定されるものではない。すなわち、例えば、家庭用薄葉紙Ｐは、水平軸（例えば、Ｘ軸又はＹ軸）を中心に巻かれた状態で容器本体１０１に収納されていてもよい。
【図面の簡単な説明】
【００６５】
【図１】本発明を適用した好適な実施形態１として例示する家庭用薄葉紙収納容器を正面上方から見た斜視図である。
【図２】実施形態１の家庭用薄葉紙収納容器における取出部を示す平面図である。
【図３】図２におけるＡ−Ａ断面を含む本体上部の横断面図である。
【図４】実施形態１における取り出し部から家庭用薄葉紙を取り出す際の取り出し動作を示す説明図である。
【図５】実施形態１における取り出し部から家庭用薄葉紙を取り出す際の取り出し動作を示す説明図である。
【図６】実施形態１における取り出し部から家庭用薄葉紙を取り出す際の取り出し動作を示す説明図である。
【図７】実施形態２の家庭用薄葉紙収納容器の取出部を示す平面図である。
【図８】実施形態３の家庭用薄葉紙収納容器の取出部を示す平面図である。
【図９】本発明を適用した好適な実施形態４として例示する家庭用薄葉紙収納容器を正面上方から見た斜視図である。
【図１０】実施形態４の家庭用薄葉紙収納容器における取出部を示す平面図である。
【図１１】図１０におけるＡ−Ａ断面を含む本体上部の横断面図である。
【図１２】実施形態４における取り出し部から家庭用薄葉紙を取り出す際の取り出し動作を示す説明図である。
【図１３】実施形態５の家庭用薄葉紙収納容器の取出部を示す平面図である。
【図１４】実施形態６の家庭用薄葉紙収納容器の取出部を示す平面図である。
【図１５】実施形態７の家庭用薄葉紙収納容器の取出部を示す平面図である。
【符号の説明】
【００６６】
１００、４００  家庭用薄葉紙収納容器
１０１、４０１  容器本体
１０２、４０２  ボトル
１０３、４０３  ネジキャップ
１０４、４０４  凹部
１０６、４０６  突起部
１０７、２０７、３０７、４０７、５０７、６０７、７０７  取出部
１０８、４０８  スリット部
１０９、４０９  可撓部
１１０、４１０  切れ込み
１２０、４２０  トグルキャップ（蓋体）
１２１、４２１  嵌合部
Ｐ  家庭用薄葉紙
Ｐ１  ミシン目
【図１】
2008239180.tif 000003
【図２】
2008239180.tif 000004
【図３】
2008239180.tif 000005
【図４】
2008239180.tif 000006
【図５】
2008239180.tif 000007
【図６】
2008239180.tif 000008
【図７】
2008239180.tif 000009
【図８】
2008239180.tif 000010
【図９】
2008239180.tif 000011
【図１０】
2008239180.tif 000012
【図１１】
2008239180.tif 000013
【図１２】
2008239180.tif 000014
【図１３】
2008239180.tif 000015
【図１４】
2008239180.tif 000016
【図１５】
2008239180.tif 000017